(57)【要約】【課題】金属粉などの塵が多い作業現場であっても、ブラシレスＤＣモータがスムーズに回転することができるグラインダーを提供する。【解決手段】グラインダー１０のフレーム１２内部にブラシレスＤＣモータ１６を内蔵し、このブラシレスＤＣモータ１６の固定子２４の両側部に防塵用ケーシング３０を形成し、回転軸３４と防塵用ケーシング３０との間にオイルシール４２を設けたものである。【選択図】      図１
2004322274.tif 000002
【特許請求の範囲】
【請求項１】
電動工具のフレームにブラシレスＤＣモータが内蔵され、このブラシレスＤＣモータの回転軸に連結された工具が駆動する電動工具において、
前記ブラシレスＤＣモータにおける円筒状の固定子の両側面がモールド樹脂によって覆われるように、かつ、前記固定子の外周部が露出するように円筒状の防塵用ケーシングが、前記固定子の両側面にそれぞれ形成され、
前記防塵用ケーシングの両側部の中央部分が前記回転軸が突出可能なように開口し、
前記回転軸の外周部と、前記防塵用ケーシングの両開口部の内周との間に閉塞手段がそれぞれ配され、
前記固定子の外周部に空気が流れるように前記フレームに通風口が開口している
ことを特徴とする電動工具。
【請求項２】
電動工具のフレームにブラシレスＤＣモータが内蔵され、このブラシレスＤＣモータの回転軸に連結された工具が駆動する電動工具において、
前記ブラシレスＤＣモータにおける固定子の両側面がモールド樹脂によって覆われるように、かつ、前記固定子の外周部が露出するように前記固定子の両側面に防塵用ケーシングがそれぞれ形成され、
前記両側面の防塵用ケーシングのうち、一側面の防塵用ケーシングが円筒形であってその中央部分前記回転軸が突出可能なように開口し、かつ、前記回転軸の外周部と、前記一側面の防塵用ケーシングの開口部の内周との間に閉塞手段が配され、
前記両側面の防塵用ケーシングのうち、他側面の防塵用ケーシングがカップ状であり、
前記固定子の外周部に空気が流れるように前記フレームに通風口が開口している
ことを特徴とする電動工具。
【請求項３】
前記閉塞手段が、オイルシール、または、ラビリンスである
ことを特徴とする請求項１、または、２記載の電動工具。
【発明の詳細な説明】
【０００１】
【発明の属する技術分野】
本発明は、電動工具におけるモータに関するものである。
【０００２】
【従来の技術】
従来より、グラインダなどの電動工具の駆動源としては、ブラシレスＤＣモータが使用されている（特許文献１）。
【０００３】
このブラシレスＤＣモータ（以下、単にモータという）は、電動工具のフレームに内蔵されると共に、このモータを冷却するためにフレームには通風口が開口し、この通風口から流入した空気によってモータを冷却している。
【０００４】
【特許文献１】
特開平８−１９２３７６号公報
【０００５】
【発明が解決しようとする課題】
しかしながら、モータの回転子は永久磁石によって形成されているため、電動工具を金属粉の多い作業現場で使用すると、通風口からこの金属粉が混じった空気が流入して、永久磁石よりなる回転子に付着することがある。
【０００６】
すると、この付着した金属粉が固定子の内周に当たったり、これによるロックを起こしてしまうという問題点がある。
【０００７】
そこで、本発明は上記問題点に鑑み、金属粉などの塵が多い作業現場であっても、モータがスムーズに回転することができる電動工具を提供する。
【０００８】
【課題を解決するための手段】
請求項１の発明は、電動工具のフレームにブラシレスＤＣモータが内蔵され、このブラシレスＤＣモータの回転軸に連結された工具が駆動する電動工具において、前記ブラシレスＤＣモータにおける円筒状の固定子の両側面がモールド樹脂によって覆われるように、かつ、前記固定子の外周部が露出するように円筒状の防塵用ケーシングが、前記固定子の両側面にそれぞれ形成され、前記防塵用ケーシングの両側部の中央部分が前記回転軸が突出可能なように開口し、前記回転軸の外周部と、前記防塵用ケーシングの両開口部の内周との間に閉塞手段がそれぞれ配され、前記固定子の外周部に空気が流れるように前記フレームに通風口が開口していることを特徴とする電動工具である。
【０００９】
請求項２の発明は、電動工具のフレームにブラシレスＤＣモータが内蔵され、このブラシレスＤＣモータの回転軸に連結された工具が駆動する電動工具において、前記ブラシレスＤＣモータにおける固定子の両側面がモールド樹脂によって覆われるように、かつ、前記固定子の外周部が露出するように前記固定子の両側面に防塵用ケーシングがそれぞれ形成され、前記両側面の防塵用ケーシングのうち、一側面の防塵用ケーシングが円筒形であってその中央部分前記回転軸が突出可能なように開口し、かつ、前記回転軸の外周部と、前記一側面の防塵用ケーシングの開口部の内周との間に閉塞手段が配され、前記両側面の防塵用ケーシングのうち、他側面の防塵用ケーシングがカップ状であり、前記固定子の外周部に空気が流れるように前記フレームに通風口が開口していることを特徴とする電動工具である。
【００１０】
請求項３の発明は、前記閉塞手段が、オイルシール、または、ラビリンスである  ことを特徴とする請求項１、または、２記載の電動工具である。
【００１１】
【作  用】
請求項１の電動工具であると、ブラシレスＤＣモータにおける固定子の両側部が防塵用ケーシングとオイルシール、または、ラビリンスなどの閉塞手段によって覆われている。
【００１２】
そのため、円筒形の固定子の内周に位置する回転子に金属粉等が侵入して付着することがない。
【００１３】
請求項２の電動工具であると、ブラシレスＤＣモータにおける固定子の一側部は防塵用ケーシングとオイルシール、または、ラビリンスなどの閉塞手段によって覆われ、他側部は防塵用ケーシングによって閉塞されている。
【００１４】
そのため、固定子の内周に位置する回転子に金属粉が侵入して付着することがない。
【００１５】
【発明の実施の形態】
（第１の実施形態）
本発明の第１の実施形態の電動工具について説明する。本実施形態の電動工具は、図２に示すようにグラインダー１０である。
【００１６】
（１）グラインダー１０の構成
グラインダー１０は、その本体である筒状のフレーム１２の前端部下面にディスク１４が回転自在に配され、フレーム１２の内部にブラシレスＤＣモータ（以下、単にモータという）が内蔵され、このモータ１６によってディスク１４が回転する。
【００１７】
フレーム１２の後部の側面には、その内部に空気を送り込むための通風口１８が複数個開口している。
【００１８】
フレーム１２の後端部からは、１００Ｖの商用電源に接続するための電源コード２０が延びている。この電源コード２０によって得られた電源によってモータ１６が回転する。
【００１９】
また、フレーム１２の前部上面には、通風口１８から流入した空気を排出するための排出口２２が複数個開口している。
【００２０】
（２）モータ１６の構成
次に、フレーム１２に内蔵されているモータ１６の構成について、図１に基づいて説明する。
【００２１】
モータ１６における円筒状の固定子２４は、複数枚の鋼板を重ねた固定子鉄心２６に固定子巻線２８を巻回した構造であり、固定子鉄心２６の両側部から固定子巻線２８が突出している。
【００２２】
この固定子２４の両側部をモールド樹脂によって覆い、防塵用ケーシング３０を形成する。この防塵用ケーシング３０は両側部共に円筒状であり、その中央部分が円形に開口している。また、この防塵用ケーシング３０は、固定子鉄心２６の外周部には設けられておらず、固定子鉄心２６が露出した状態である。
【００２３】
固定子２４の内周の空間には、回転子３２が回転自在に配されている。回転子３２の回転軸３４の後部はベアリング３６によって支持され、回転軸３４の前端部は図１では不図示の減速装置に回転自在に保持されている。
【００２４】
この防塵用ケーシング３０を設けた固定子２４は、フレーム１２の内部に設けられているリブ３８に固定されている。また、ベアリング３６もフレーム１２の内周に設けられている保持部４０に固定されている。
【００２５】
円筒形の防塵用ケーシング３０の中央部分にある開口部には、オイルシール４２が配され、回転軸３４と防塵用ケーシング３０の内周側の部分とを閉塞している。このオイルシール４２は、回転軸３４の回転を妨げるものでない。
【００２６】
（３）本実施形態の効果
上記構成のグラインダー１０において、モータ１６が回転しディスク１４が回転して作業が行われると、金属粉が発生する。この発生した金属粉は通風口１８から侵入することがある。
【００２７】
この侵入した金属粉を含む空気は、モータ１６、すなわち、固定子２４の外周部を通って固定子鉄心２６を冷却し排出口２２から排出される。このとき、固定子２４の内周側は防塵用ケーシング３０とオイルシール４２によって閉塞されているため、その内部に金属粉が侵入することがなく、回転子３２の永久磁石に金属粉が付着しない。そのため、従来のように固定子２４の内周と回転子３２が当たったり、ロックが発生したりすることがない。
【００２８】
（第２の実施形態）
次に、図５に基づいて第２の実施形態のグラインダー１０について説明する。
【００２９】
本実施形態と第１の実施形態の異なる点は、第１の実施形態では固定子２４の後部側に設けられている防塵用ケーシング３０が円筒状であったが、本実施形態ではカップ状に設ける。すなわち、このモールド樹脂によって設けた防塵用ケーシング３０の中央部分にベアリング３６を同時にモールドする。
【００３０】
また、前側の防塵用ケーシング３０は第１の実施形態と同様に円筒状になし、その中央部分にオイルシール４２を設けている。
【００３１】
このモータ１６であっても、後部は防塵用ケーシング４６によって覆われ、前部は防塵用ケーシング３０とオイルシール４２によって覆われているため、固定子２４の内周側に金属粉が侵入することがない。
【００３２】
（変更例１）
図３、図４は第１の実施形態の変更例であり、オイルシール４２に代えて、ラビリンス４４を設けたものである。なお、「ラビリンス」は、ＪＩＳ用語である。
【００３３】
このようなラビリンス４４を設けても、金属粉の侵入を防ぐことができると共に、回転軸３４の回転を妨げることがない。
【００３４】
（変更例２）
上記実施形態では電動工具としてグラインダー１０について説明したが、これ以外の電動工具、例えば電気ドリルなどにおいても上記構成のモータ１６を使用すれば、その内部に金属粉等が侵入しない。
【００３５】
【発明の効果】
以上により本発明の電動工具であると、ブラシレスＤＣモータの固定子内周側に金属粉が侵入することがなく、回転子がスムーズに回転することができる。そのため、金属粉等の多い作業場でも好適に使用することができる。
【図面の簡単な説明】
【図１】第１の実施形態のグラインダーの要部拡大縦断面図である。
【図２】同じくグラインダーの斜視図である。
【図３】変更例１の要部拡大縦断面図である。
【図４】変更例１における他の実施例の要部拡大縦断面図である。
【図５】第２の実施形態のグラインダーの要部拡大縦断面図である。
【符号の説明】
１０  グラインダー
１２  フレーム
１４  ディスク
１６  モータ
１８  通風口
２２  排出口
２４  固定子
２６  固定子鉄心
２８  固定子巻線
３０  防塵用ケーシング
３２  回転子
３４  回転軸
３６  ベアリング
３８  リブ
４０  保持部
４２  オイルシール
４４  ラビリンス
【図１】
2004322274.tif 000003
【図２】
2004322274.tif 000004
【図３】
2004322274.tif 000005
【図４】
2004322274.tif 000006
【図５】
2004322274.tif 000007